(57)【要約】【課題】アワビ、ウニ、魚介類等の餌となる海藻類がブロック沈設後、２〜３年で雑藻類や、付着生物類等の繁殖により着生、繁茂しなくなるものが多い。ブロック下部等にひっかかった海藻類も潮流や波浪の影響ですぐにはずれてしまい、常時、アワビ、貝類、ウニ類等の餌となる海藻類を供給することが難しい。アワビ、ウニ、魚介類等を海女、海士が採集する時に時間を費やす。本発明は、従来の技術の有するこのような問題点を解決できるものを提供することを目的する。【解決手段】  ブロック本体表面に、海藻類の胞子や幼体等を着生させた多孔質基等を備え、ブロック内部に棚状部を備え、ブロック壁面に、ブロック上部から流入する砂等の堆積物がブロック外へ流出するための横孔を備え、ブロック本体底部には、ブロックが海底面へ設置した際、安定を保持する脚部を備える。【選択図】  図１
2005027584.tif 000002
【特許請求の範囲】
【請求項１】
増殖養殖ブロック本体表面には、海藻類の自然着床が期待され魚介類の蝟集、生息環境を好適に促進する形状を備え、同時に、海藻類の胞子や幼体を着生させたネット類、ロープ類もしくは、多孔質基質等を備え、積極的にアワビ、ウニ、魚介類の餌となる海藻類を育成する。また、周辺海域の藻場で自然に繁茂した海藻類が波浪等の影響で流失し、ブロック上面の開口部よりブロック内部に流入した際、内部に備えられた棚状部に留まり、ブロック外部への流失を防止することで自然の状態と比較して、アワビ、ウニ、魚介類等の餌である海藻類の停滞率を飛躍的に高め、餌の供給環境を好適に維持できることを特徴とする増殖養殖ブロック。
【請求項２】
ブロック本体と棚状部とから構成され、ブロック本体は、海水の流入出及び砂等の堆積物が流出するように横孔を備え、ブロック上面には、アワビ、ウニ、魚介類を採集する海女、海士の出入りが可能なように開口部を備え、ブロック内部に、アワビ、ウニ、魚介類等が着生、生息しやすく尚かつ、タコ類等の外敵、いわゆる天敵からの食害を防止する棚状部を備えていることを特徴とする増殖養殖ブロック。  
【発明の詳細な説明】
【技術分野】
【０００１】
本発明は、アワビ、ウニ、魚介類等の増殖養殖に好適な環境を提供するためのブロックに関するものである。
【背景技術】
【０００２】
アワビ、ウニ、魚介類の増殖養殖は、アワビ礁等を沈設もしくは、自然石を投入することで形成される隙間にアワビ等を棲みつかせて行っている。また、アワビの習性を応用した人工漁礁がある。
【０００３】
また、アワビ、ウニ、魚介類等の生息環境を悪化させる雑藻類、石灰藻類、付着生物類等の除去や、水中での海女、海士による採集作業効率については、全く考慮されていなかった。
【特許文献１】特開２００１ー２９２６５３号
【発明の開示】
【発明が解決しようとする課題】
【０００４】
解決しようとする問題点は、アワビ、ウニ、魚介類等の餌となる海藻類がブロック沈設後、２〜３年で雑藻類や、石灰藻類、付着生物類等の繁殖により着生、繁茂しなくなるものが多い。周辺海域の藻場より流失しブロック下部等にひっかかった海藻類も潮流や波浪等の影響ですぐにはずれてしまい、常時、アワビ、ウニ、魚介類等に餌となる海藻類を供給することが難しい。アワビ、ウニ、魚介類等の天敵であるタコ類からの食害の防止策は、施されていない。アワビ、ウニ、魚介類等を海女、海士が採集する際に長時間を費やす。本発明は、従来の技術の有するこのような問題点を解決できるものを提供することを目的とするものである。
【課題を解決するための手段】
【０００５】
以上の課題を解決するために、ブロック本体表面には、海藻類の自然着生が期待され魚介類の蝟集、生息環境を好適に促進する形状を備え、同時に、海藻類の胞子や幼体等を着生させた、あるいは、着生しやすいネット類、ロープ類もしくは、多孔質基質等を備え、ブロック内部には、周辺海域の藻場より流失した海藻類が、ブロック上面の開口部よりブロック内部に流入した際に、留まる時間を長くする棚状部を備え、ブロック側面には、ブロック上部から流入する砂等の堆積物がブロック外部へ流出するための横孔を備え、ブロック本体底部には、ブロックが海底面へ設置した際、安定を保持する脚を備える。
【発明の効果】
【０００６】
本発明のブロックは、ブロック本体表面に海藻類の自然着生が期待され魚介類の蝟集、生息環境を好適に促進する形状を備えているため、アワビ、ウニ、魚介類が餌とする海藻類の餌となる海藻類を積極的に供給し、これらの成長を飛躍的に促進できる。
【０００７】
また、ブロック本体表面にアワビ、ウニ、魚介類が餌とする海藻類の胞子や幼体等を着生させた、あるいは、着生しやすい多孔質基質等を備えているため、アワビ、ウニ、魚介類の餌となる海藻類を積極的に供給し、これらの成長を飛躍的に促進できる。
【０００８】
ブロック上面の開口部より周辺海域の藻場から流失した海藻類がブロック内部に流入した際に棚状部に留まり、ブロック外への流失を防止することで自然の状態と比較して餌になる海藻類の停滞率を飛躍的に高め、餌の供給環境を積極的に好適状態にする。
【０００９】
同時に、開口部を有することにより、ブロック内部に生息しているアワビ、ウニ、魚介類を採集する海女、海士の出入りが容易に可能になり、アワビ、貝類、ウニ類等の収穫作業効率を飛躍的に向上させることを可能にし、潜水障害のリスクも大幅に軽減できる。
【００１０】
また、アワビ、ウニ、魚介類等が着生、生息しているコンクリート面に石灰藻類、付着生物類等が繁殖すると生息が難しくなるので、これらを除去することで生息環境を整え、増殖を促進するために、水中における海女、海士による付着物等の除去が不可欠になるが、棚状部を備えることで、除去作業の効率化と空間の有効利用を可能にし、より、単位面積あたりのアワビ、ウニ、魚介類の生息量を飛躍的に高めると同時に、棚状部と棚状部の隙間がアワビ、ウニ、魚介類等を餌とするタコ類等の捕食動作を妨害することにより生存率を飛躍的に向上させ収穫量の増加を可能にすることができる。
【００１１】
さらに、ブロック本体内部に備える棚状部と棚状部の隙間は、日中でも暗く、アワビの暗所を好む習性に適応しており、アワビに好適な住処を提供し棲み付かせることができ、アワビ育成ブロック１個当たりに棲み付くアワビの個体数を飛躍的に増加させることを可能にする。さらに、生息するアワビの単位面積当たりの個体数が多い事により、稚貝の増殖率を自然の状態と比較して、飛躍的に高めることを可能にする。
【００１２】
アワビ、ウニ、魚介類の糞や、ブロック上部から流入する砂等の堆積物をブロック外へ放出するための横孔を備えることで、常にブロック内の海水を流動させることを可能にし、アワビ、ウニ、魚介類等の生息に関わる酸素濃度を好適に保つと共に、アワビ、ウニ、魚介類の生息環境を清浄に維持することができるため、その収穫量の増加を可能にすることができる。
【００１３】
ブロック本体底部には、海底に設置した際、安定を保持する脚部を備えているため設置した海底面に起伏がある場合、砂、泥等である場合でも安定性を確保できると同時に、ブロックと海底面に隙間が生まれ、この隙間にもアワビ、ウニ、魚介類等を棲み付かせることができる。
【００１４】
また、ブロック表面で積極的に海藻類を育成する海藻が母藻に成長し、胞子を放出することにより、ブロックを藻場造成の核とした新たな藻場として形成することを促進する。
【００１５】
また、ブロックを設置することにより、海の食物連鎖の底辺をになう魚介類等の餌となるプランクトンが蝟集するので、これを餌とする中型魚類、回遊魚類等も蝟集することになり、漁場造成効果も促進する。
【００１６】
また、沈設後、数年経過し棚状部に雑藻類、石灰藻類や付着生物類が付着し、アワビ、ウニ、魚介類等の生息環境が悪化した場合、水中において開口部より送気式潜水方法や素潜り方式を用いた海女、海士がブロック内に入り、ハンドスクレッパー等を使用し容易に清掃ができることで生息環境を整え、効果を継続でき収穫量の増加を可能にすることができる。
【発明を実施するための最良の形態】
【００１７】
以下、本発明の構成を図面に示す最良の形態に基づいて詳細に説明する。
【実施例】
【００１８】
図１に本発明を適用したブロックの実施形態の一例を示す。このブロック１は、コンクリート製の正方形または矩形等の四角形上の壁を周囲５面に有する中空の立方体からなり、この立方体の内部にコンクリート製のアワビ、ウニ、魚介類が付着する複数の棚状部２を備え、外部壁面にアワビが餌とする海藻類の胞子や幼体等を着生させた、もしくは着生しやすい複数の多孔質基質３備え、壁面下部には、壁を貫通する横孔４を備え、底部に海底に設置した際、安定を保持する脚状部５を備える。
【００１９】
ブロック１は、例えばコンクリートで形成されており、波浪の影響で転倒しない自重を有している。また、その材質は、コンクリートに限らず、形状を維持できる材質であれば樹脂類、金属類等いかなる材質を用いても良く、その形状は、図１に示す形状に限るものでなく、海底面に留まっていることができる形状であればさしつかえない。例えば、六角柱や円柱状等であっても良い。また、サイズは、設置する海域の条件に好ましく、施設の規模に合わせてその都度、最適なサイズとし、特に定められたサイズは無い。また、ブロック１は、棚状部２と四角形状の壁を周囲５面に有する中空の立方体を一体整形する構造として良いし、別々に整形した後、組み合わせてひとつのブロック１をなすような構造にしてもさしつかえない。
【００２０】
また、ブロック１の外部壁面の形状は、海藻類が自然着生し、魚介類が蝟集、生息しやすい形状であれば、平坦な面に限らず、山形、波形等であってもさしつかえない。
【００２１】
棚状部２は、例えばコンクリートで形成されており、図２に示す形状が好ましい。また、材質は、コンクリートに限らず、アワビ、ウニ、魚介類等の増殖養殖の妨げにならないものであり、形状を維持できる材質であれば樹脂類、金属類等いかなる材質を用いても良く、その形状は、図２に示す形状に限るものでなく、ブロック内部に備えることができる形状であれば、山形、波形等であってもさしつかえない。棚状部と棚状部の隙間は、アワビ、ウニ、魚介類等の天敵であるタコ類のアワビ、ウニ、魚介類等の捕食活動を妨げる寸法であればさしつかえない。
【００２２】
また、この棚状部の数は、ブロックのサイズに最適な数とし、その厚さも、棚状部と棚状部の隙間の寸法条件を満たすことができれば制限はない。
【００２３】
多孔質基質３は、ブロック１を海中に設置する際にあらかじめ海藻類の胞子や幼体等を取り付けた状態で、ブロック１に図１で示すように取り付けることが好ましいが、海藻類の胞子や幼体等を取り付けない状態で、アワビ育成ブロック１に図１で示すように取り付けブロック１を一度海中に設置した後、改めて、海藻類の胞子や幼体等を海女、海士が取り付けても良く、積極的にアワビ、ウニ、魚介類の餌となる海藻類を育成することができる手法であればいかなる手法を用いても良い。
【００２４】
また、多孔質基質３は、自然界で放出される海藻類の胞子が着生しやすい特性があるので、周辺海域にアワビ、ウニ、魚介類等の餌になるであろう海藻類が繁茂している場合には、多孔質基質３に海藻類の胞子や幼体を取り付けない状態でブロック１に取り付け、海中に設置し自然に海藻類が着生、育成が確認された後、アワビ、ウニ、魚介類の増殖養殖にあたってもさしつかえない。
【００２５】
また、多孔質基質３の材質は、例えばコンクリートを主とする多孔質基質等が好ましいが、プラスチック類や樹脂類等を用いても良く、ブロック１に取り付けが可能であり、積極的な海藻類の育成ができれば、形状を板状に限るものでもないし、サイズ、数、取り付け位置についても制約は無い。
【００２６】
横孔４の形状、サイズ、数、取り付け位置に制約は無く、魚介類の糞や、ブロック上部から流入する砂等の堆積物をブロック外へ流失や、ブロック１の内部、外部の海水循環の妨げにならないことが好ましい。  
【００２７】
ブロック１底部には、立方体の脚５を４本備えているが、ブロック１を海底に設置した際、安定させることができる最適な数を備えていることが好ましいし、形状、サイズは、設置する海底の条件により、安定させるに最適な形状、サイズとする。
【００２８】
ブロック１の設置方法は、例えば、一般的には、直接海底面に設置する方法が好ましいが、海底面に礫や割り石が投入されている場合、崩壊や倒壊を防止するために、海底面の一部をブロックの形状に合わせて穴状に掘り、その中へブロック1を入れ、ブロック１の一部分が埋まるように設置しても良い。
【図面の簡単な説明】
【００２９】
【図１】本発明を適用したブロックの実施形態を示す斜視図である。
【図２】同ブロック本体内部に備える棚状部を示した拡大図である。
【符号の説明】
【００３０】
１  ブロック本体  
２  棚状部
３  多孔質基質
４  横孔
５  脚
【図１】
2005027584.tif 000003
【図２】
2005027584.tif 000004